(57)【要約】【課題】筐体にプリント基板が内蔵され、プリント基板に実装された電子部品の操作部が操作パネルより内側に埋没されている電気装置において、操作部の操作が容易となると共に、操作用の穴を小さくすることができる構造の電気装置用操作パネルを提供する。【解決手段】筐体の内部に電子部品を搭載したプリント基板３を内蔵する。プリント基板３の外面側に、プリント基板３と間隔を有して操作パネル２を取付けて電源等の電気装置を構成する。操作パネル２における、プリント基板３に実装した電子部品７の操作部１０に対応する位置に、内方に突出しかつ内方の径が小さくなるテーパー形をなす絞り部１１を設ける。その絞り部１１の内端に電子部品７操作用の工具を差し込む穴１２を設ける。【選択図】      図３
2007123461.tif 000002
【特許請求の範囲】
【請求項１】
電気装置を構成する筐体の内部に、電子部品を搭載したプリント基板が内蔵され、該プリント基板と間隔を有して取付けられる操作パネルであって、
前記プリント基板に実装した電子部品の操作部に対応する位置に、内方に突出しかつ内方の径が小さくなるテーパー形をなす絞り部を設けると共に、その絞り部の内端に前記電子部品操作用の工具を差し込む穴を設けたことを特徴とする電気装置用操作パネル。
【発明の詳細な説明】
【技術分野】
【０００１】
本発明は、電源等の電気装置を構成する筐体の内部に、電子部品を搭載したプリント基板が内蔵され、前記プリント基板の外面側に、前記プリント基板と間隔を有して取付けられる操作パネルに関する。
【背景技術】
【０００２】
筐体の内部にプリント基板を有し、その外側に操作パネルを有する電気装置において、プリント基板に搭載する電子部品が調整を必要とする例えば可変抵抗等である場合、操作パネルに穴を設け、その穴より電子部品の軸状の操作部を突出させて外部から調整可能にしている（例えば特許文献１参照）。
【０００３】
【特許文献１】特開平５−１２０９４３号公報
【発明の開示】
【発明が解決しようとする課題】
【０００４】
上述の公報記載のように、操作パネルに内部の電子部品の操作用の穴を設けるものにおいて、プリント基板の操作パネル側に電子部品を搭載するためにその搭載空間が必要であるとか、操作パネルとプリント基板との間の絶縁距離を確保する必要があるとか、プリント基板に背が高くて操作パネルから突出する電子部品が実装される等の理由により、操作パネルとプリント基板との間に間隔を持たせる必要がある場合、電子部品の操作部の頭部が操作パネルより内部に埋没してしまう。このように操作部の頭部が操作パネルより内部に埋没すると、外部からドライバを操作パネルの穴から差し込んで操作部を回すことにより操作する必要が生じる。
【０００５】
このように操作部の頭部が操作パネルの内部に埋没する場合に、操作部のサイズよりやや大きいサイズの操作用の穴を操作パネルに設けるとすると、操作部の真前から操作部を目視しないと操作部が見えず、操作が困難となる。このため、穴を大きくして見やすくすると、筐体の内部に塵埃が入りやすくなり、また、他の電子部品に操作部調整用のドライバ等の工具が接触しやすくなり、電子部品の損傷等のトラブルが発生するおそれがある。
【０００６】
本発明は、上記問題点に鑑み、筐体にプリント基板が内臓され、プリント基板に実装された電子部品の操作部が操作パネルより内側に埋没されている電気装置において、操作部の操作が容易となると共に、操作用の穴を小さくすることができる構造の電気装置用操作パネルを提供することを目的とする。
【課題を解決するための手段】
【０００７】
本発明の電気装置用操作パネルは、電気装置を構成する筐体の内部に、電子部品を搭載したプリント基板が内蔵され、該プリント基板と間隔を有して取付けられる操作パネルであって、
前記プリント基板に実装した電子部品の操作部に対応する位置に、内方に突出しかつ内方の径が小さくなるテーパー形をなす絞り部を設けると共に、その絞り部の内端に前記電子部品操作用の工具を差し込む穴を設けたことを特徴とする。
【発明の効果】
【０００８】
本発明によれば、操作パネルに設ける操作用の穴を、内方に突出しかつ内方の径が小さくなるテーパー形の絞り部の先端に設けたので、操作部を斜めより見た場合でも操作部を目視することができ、外部から操作部が目視しやすくなり、操作が容易となる。また、穴が操作部に近接しているので、穴のサイズを小さくすることができ、塵埃の侵入を軽減することができる。また、穴から挿入するドライバ等の操作用の工具が他の電子部品に接触することも防止することができ、工具接触による電子部品の損傷等を防止することができる。
【発明を実施するための最良の形態】
【０００９】
図１は本発明の一実施の形態を示す電気装置の斜視図である。この実施の形態の電気装置は電源装置を構成するものである。図２の断面図に示すように、筐体１に操作パネル２に対して所定の間隔Ｗ１（３ｍｍ〜３ｃｍ程度）を有してプリント基板３を内蔵する。プリント基板３には、図１に示すブレーカまたはスイッチ４、コネクタ５、ヒューズ６が実装される他、不図示のトランス、チョークコイル、インダクタ、抵抗、コンデンサ、コネクタ等、用途に応じたサイズ、機能の電子部品が搭載される。これらの部品のうち、背の高い部品であるブレーカまたはスイッチ４、コネクタ５、ヒューズ６等は、図２に示すように操作パネル２に開口部８を設けてその開口部にこれらの部品を通して外部に突出させている。
【００１０】
図２のように、操作パネル２とプリント基板３との間に間隔Ｗ１を設ける理由は、プリント基板３の操作パネル２側に別の部品９を搭載する必要が生じる場合とか、操作パネル２とプリント基板３との間の絶縁距離を確保する必要があるとか、プリント基板３に実装する背が高いブレーカまたはスイッチ４等が操作パネル２から突出する幅Ｗ２を所定の幅以下に制限し、もって輸送時等において、背の高いブレーカまたはスイッチ４等の部品が衝突により損傷することを防止するため等の理由による。
【００１１】
図３の斜視図および図４の断面図に示すように、本発明においては、操作パネル２におけるプリント基板３に実装した調整を要する電子部品７の操作部１０に対応する位置に、内方に突出しかつ内方の径が小さくなるテーパー形をなす絞り部１１を設ける。また、その絞り部１１の内端に前記電子部品７を操作するための工具を差し込む穴１２を設ける。この実施の形態においては、絞り部１１の形状を円錐形に形成しているが、角錐形に形成してもよい。
【００１２】
調整を必要とする電子部品としては、可変コンデンサ、可変インダクタ、可変抵抗、調整機能を有するトランス等があるが、この実施の形態における電子部品７は可変抵抗であり、出力電圧、電流の少なくともいずれか一方を調整するものである。
【００１３】
このように絞り部１１と穴１２を設ければ、図４に示すように、作業者１３が斜めに操作部１０を覗き込んでも操作部１０を目視することができる。また、穴１２が操作部１０に近接するため、外部から操作部１０が目視しやすくなり、操作が容易となる。
【００１４】
また、穴１２が操作部１０に近接しているので、従来構造に比較し、穴１２のサイズを小さくすることができる。図５はこの穴１２を小さくできることを説明する図であり、図５（Ａ）は従来のように操作パネル２に穴１４を設けた例であり、図５（Ｂ）は本発明による例である。図５（Ｂ）に示すように、本発明による場合は、前述のように絞り部１１の先端に穴１２を設けたため、穴１２の径Ｄ１は、図５（Ａ）に示す従来構造による場合の穴１４の径Ｄ２より小さく（Ｄ１＜Ｄ２）することができる。
【００１５】
このように操作用の穴１２を小さくすることができるので、穴１２からの塵埃の侵入を軽減することができる。また、穴１２から挿入するドライバ等の操作用の工具が他の電子部品に接触することも防止することができ、工具接触による電子部品の損傷を防止することができる。
【００１６】
操作パネル２に設ける穴を小さくするため、本発明と異なる構造として、プリント基板３に間座を介して電子部品７を取付けることにより、操作部１０を操作パネル２に近接配置することも考えられるが、しかしこの構造であると部品点数と工数が増える。本発明によれば、部品点数や工数が増えることなく、安価に実施できるという利点がある。
【図面の簡単な説明】
【００１７】
【図１】本発明の操作パネルの一実施の形態を示す電気装置の斜視図である。
【図２】本発明による操作パネルの一実施の形態の操作パネルから突出する部品の取付け構造を示す断面図である。
【図３】本発明による操作パネルの一実施の形態の要部を示す斜視図である。
【図４】本発明による操作パネルの一実施の形態の要部を示す断面図である。
【図５】（Ａ）、（Ｂ）は従来例と本発明の穴のサイズを比較して示す正面図である。
【符号の説明】
【００１８】
１：筐体、２：操作パネル、３：プリント基板、４：ブレーカまたはスイッチ等、５：コネクタ、６：ヒューズ、７：可変抵抗、８：開口部、９：別の部品、１０：操作部、１１：絞り部、１２：穴、１３：作業者、１４：穴
【図１】
2007123461.tif 000003
【図２】
2007123461.tif 000004
【図３】
2007123461.tif 000005
【図４】
2007123461.tif 000006
【図５】
2007123461.tif 000007